(57)【要約】【課題】  支持強度の向上性と破損に対する対応性を図った新規の仮設支柱を提供する。  【解決手段】  下位管１の上部開口面に対して、胴部にネジ溝2ｂを刻設すると共に上端部分に設けたネジ筒２を、無回転にしてかつ昇降自在とするように取付け、当該ネジ筒２と螺合する高さ調節用ネジ環３を、下位管１の上端部に定位置回転可能に取付け、上位管４は上記ネジ筒２に対して昇降自在に挿入する共に、当該上位管２には、上記した高さ調節用ネジ環３に対する連結用とする所要の固定用ピンの挿通用係止孔を設ける。【選択図】  図１
0003162829.tif 000002
【実用新案登録請求の範囲】
【請求項１】
下位管(１)と上位管(４)とを高さ調節自在とするように構成した仮設支柱であって、下位管(１)の上部開口面に対して、胴部にネジ溝(2ｂ)を刻設すると共に上端部分に上位管(４)を連結するためのネジ筒(２)を、無回転にしてかつ昇降自在とするように取付け、当該ネジ筒(２)のネジ溝(2ｂ)と螺合するネジ溝(3ａ)を内周面に刻設した高さ調節用ネジ環(３)を、下位管(１)の上端部に定位置回転可能に取付け、また、当該ネジ環(３)には回転操作用ハンドル(3ｃ，3ｃ)を折畳み自在に取付け、上位管(４)は上記ネジ筒(２)に対して昇降自在に挿入する共に、当該上位管(４)には、上記した高さ調節用ネジ環(３)に対して連結するための所要の固定用ピンを貫通させて挿通するための係止孔を設けるように構成した仮設支柱。
【請求項２】
上端部分に形成した上位管連結用部(2ａ)を除いてその全体にネジ溝(2ｂ)を刻設すると共に、当該上位管連結用部(2ａ)には、その上縁の対向位置に形成したピン受け用凹溝(2ｃ，2ｃ)と、当該ピン受け用凹溝(2ｃ，2ｃ)間を結ぶ直線と直角に結ばれる直線位置にしてかつこれよりやや下方の位置にピン差込用孔(2ｄ，2ｄ)を穿設し、更に、ネジ溝(2ｂ)を刻設した胴部には縦溝孔(2ｅ)を穿設して成るネジ筒(２)を、
下位管(１)の上部開口面に対して昇降自在に差し込むと共に、当該下位管(１)の胴部に螺子込んだ案内ボルト(1ｃ)の先端を前記ネジ筒(２)に設けた縦溝孔(2ｅ)に突入させることによって、当該ネジ筒(２)に対する昇降案内作用と回転止め作用がなされるように構成し、
上記したネジ筒(２)のネジ溝(2ｂ)と螺合するネジ溝(3ａ)を内周面に刻設した高さ調節用ネジ環(３)を、下位管(１)の上端部に定位置回転可能に取付け、また、当該ネジ環(３)には回転操作用ハンドル(3ｃ，3ｃ)を折畳み自在に取付け、
上位側係止用孔(4ｂ)と、これに直交する方向にしてかつやや下方に位置する下位側係止用孔(4ｃ)とで一単位とする係止用孔を、所要単位数等間隔で穿設して成る上位管(４)を、上記したネジ筒(２)に対して昇降自在に挿入すると共に、
当該上位管(４)のネジ筒(２)に対する仮止め的固定を、上位側係止用孔(4ｂ)に差し込んだ上位側係止用ピン(５)はネジ筒(２)の上縁対向位置に形成したピン受け用凹溝(2ｃ，2ｃ)に嵌合して受け止められ、また、下位側係止用孔(4ｃ)に差し込むための下位側係止用ピン(６)は、ネジ筒(２)に穿設したピン差込用孔(2ｄ，2ｄ)と一括して挿通させるように構成したことを特徴とする仮設支柱。
【請求項３】
下位管(１)の上端部に対する高さ調節用ネジ環(３)の取付けを、下位管(１)の上端縁に案内用突状リング体(1ｂ)を設け、当該高さ調節用ネジ環(３)に設けた係合用抱持部(3ｅ，3ｅ)を当該突状リング体(1ｂ)に対して回動自在に嵌め込むことによって、当該高さ調節用ネジ環(３)を下位管(１)の上端部分に定位置回動可能に取付けるように構成した請求項２に記載の仮設支柱。
【請求項４】
上位側係止用ピン(５)と下位側係止用ピン(６)とが平面十文字状に交差するような形態で差し込まれるように構成した請求項２または請求項３の何れかに記載の仮設支柱。
【請求項５】
二本の係止用ピン(５及び６)を、上位管(４)に自由動可能に引っ掛けておくための環(７)に対してチェーン(5ａ及び6ａ)を介して連結するように構成した請求項２乃至４の何れかに記載の仮設支柱。
【請求項６】
下位管(１)に螺子込んだ案内ボルト(1ｃ)と同位置にして平面等間隔の角度で安定用ボルト(８，９)を螺子込むことによって、当該安定用ボルト(８，９の)先端をネジ筒(２)の胴同部に案内的に接触させて、当該ネジ筒(２)が下位管(１)の中心に位置するような調節が図られるように構成した請求項２乃至５の何れかに記載の仮設支柱。
【考案の詳細な説明】
【技術分野】
【０００１】
本考案は建築現場において、例えば天井面等を形成に際するコンクリート打設用型枠の支持等に使用しかつ高さ調節可能とするように構成した仮設支柱に関する。
【背景技術】
【０００２】
従来の仮設支柱は、図１０に示すように、立設させる下位管Ａの上端側に上位管Ｂを出入り自在に延出させ、また上位管Ｂに支持ピンＣを挿通させ、下位管Ａの上方部分に刻設した雄ネジＤに対して、回動操作用ハンドルＥを具えた調節ネジ環Ｆを螺合させると共に、これを前記支持ピンＣの下方側から当接させ、当該調節ネジ環Ｆを回動させてこれを下位管Ａの雄ネジＤに沿って上下動させることによって（回転しながら上方または下方に雄ネジＤのネジ溝に沿って移動させることによって）、これに連動して当該支持ピンＣの上下動に基づき上位管Ｂの高さの微調整的な上下動を行わせるように構成したものがある（例えば、特許文献１参照）。  
【０００３】
なお、上位管Ｂの上昇は調節ネジ環Ｆの押上げ力に基づき行われるが、その下降は当該調節ネジ環Ｆの下方移動に基づく支え点の変位により、上位管Ｂの自重に依る連動的降下運動が生じるものである。
【０００４】
１０図においてＧは下位管Ａの雄ネジＤ部分に開設した縦孔であって、支持ピンＣに対する上記した上下動が可能化させるための案内用孔としての使命を担うものである。  換言すれば、上位管Ｂの微調整的移動範囲は、当該縦孔Ｇの長さによって設定されるものである。
【０００５】
【特許文献１】特開２００６−３２８６５２号公報
【考案の開示】
【考案が解決しようとする課題】
【０００６】
上述したような従来の仮設支柱の場合、下位管Ａに対して直接上位管Ｂを差し込むものであるため、その嵌合間隔に必要以上の遊びが生じて、両者の連結上のガタツキが生じ易いものであつた。  すなわち、下位管Ａの内径と上位管Ｂの外径の寸法をあまり近接させてしまうと、その差込操作作業上の円滑性を阻害してしまうため、ある程度の遊びを設けることが必要とされたが、この遊びが所定の伸長固定化状態におけるガタツキ発生の原因となってしまうものである。
【０００７】
また、従来の仮設支柱のように、下位管Ａの上端寄りに雄ネジＤを直接刻設するものであると、下位管Ａ自体が長尺ものである関係上、これに対する当該雄ネジＤの刻設作業に伴うスペース的占領性及び作業の煩雑性というような問題が伴うものであった。  
【０００８】
更に、仮設支柱のような仮設建材は、例えば輸送時に投げ出す等、比較的手荒く扱われがちであり、その衝撃で雄ネジＤ部分が傷付いてしまったり歪んでしまったりした場合、下位管Ａ全体を取り換えなければ成らないというような取扱上の問題が伴うことを余儀なくされた。
【０００９】
本考案は上述したような従来の問題点を解消すると共に、強度的向上化及び耐荷重性の強化が図られるようにした新規の仮設支柱の提供を図ったものである。
【課題を解決するための手段】
【００１０】
本考案は請求項１に記載のように、下位管１と上位管４とを高さ調節自在とするように構成した仮設支柱であって、下位管１の上部開口面に対して、胴部にネジ溝2ｂを刻設すると共に上端部分に上位管４を連結するためのネジ筒２を、無回転にしてかつ昇降自在とするように取付け、当該ネジ筒２のネジ溝2ｂと螺合するネジ溝3ａを内周面に刻設した高さ調節用ネジ環３を、下位管１の上端部に定位置回転可能に取付け、また、当該ネジ環３には回転操作用ハンドル3ｃ，3ｃを折畳み自在に取付け、上位管４は上記ネジ筒２に対して昇降自在に挿入する共に、当該上位管２には、上記した高さ調節用ネジ環３に対して連結するための所要の固定用ピンを貫通させて挿通するための係止孔を設けるように構成した仮設支柱に係る。
【００１１】
本考案は請求項２に記載のように、上端部分に形成した上位管連結用部2ａを除いてその全体にネジ溝2ｂを刻設すると共に、当該上位管連結用部2ａには、その上縁の対向位置に形成したピン受け用凹溝2ｃ，2ｃと、当該ピン受け用凹溝2ｃ，2ｃ間を結ぶ直線と直角に結ばれる直線位置にしてかつこれよりやや下方の位置にピン差込用孔2ｄ，2ｄを穿設し、更に、ネジ溝2ｂを刻設した胴部には縦溝孔2ｅを穿設して成るネジ筒２を、
下位管１の上部開口面に対して昇降自在に差し込むと共に、当該下位管１の胴部に螺子込んだ案内ボルト1ｃの先端を前記ネジ筒２に設けた縦溝孔2ｅに突入させることによって、当該ネジ筒２に対する昇降案内作用と回転止め作用がなされるように構成し、
上記したネジ筒２のネジ溝2ｂと螺合するネジ溝3ａを内周面に刻設した高さ調節用ネジ環３を、下位管１の上端部に定位置回転可能に取付け、また、当該ネジ環３には回転操作用ハンドル3ｃ，3ｃを折畳み自在に取付け、
上位側係止用孔4ｂと、これに直交する方向にしてかつやや下方に位置する下位側係止用孔4ｃとで一単位とする係止用孔を、所要単位数等間隔で穿設して成る上位管４を、上記したネジ筒２に対して昇降自在に挿入すると共に、
当該上位管４のネジ筒２に対する仮止め的固定を、上位側係止用孔4ｂに差し込んだ上位側係止用ピン５はネジ筒２の上縁対向位置に形成したピン受け用凹溝2ｃ，2ｃに嵌合して受け止められ、また、下位側係止用孔4ｃに差し込むための下位側係止用ピン６は、ネジ筒２に穿設したピン差込用孔2ｄ，2ｄと一括して挿通させるように構成したことを特徴とする仮設支柱に係る。
【００１２】
本考案は請求項３に記載のように、下位管１の上端部に対する高さ調節用ネジ環３の取付けを、下位管１の上端縁に案内用突状リング体1ｂを設け、当該高さ調節用ネジ環３に設けた係合用抱持部3ｅ，3ｅを当該突状リング体1ｂに対して回動自在に嵌め込むことによって、当該高さ調節用ネジ環３を下位管１の上端部分に定位置回動可能に取付けるように構成した請求項２に記載の仮設支柱を実施の態様とする。
【００１３】
本考案は請求項４に記載のように、上位側係止用ピン５と下位側係止用ピン６とが平面十文字状に交差するような形態で差し込まれるように構成した請求項２または請求項３の何れかに記載の仮設支柱を実施の態様とする。
【００１４】
本考案は請求項５に記載のように、二本の係止用ピン５及び６を、上位管４に自由動可能に引っ掛けておくための環７に対してチェーン5ａ及び6ａを介して連結するように構成した請求項２乃至４の何れかに記載の仮設支柱を実施の態様とする。
【００１５】
本考案は請求項６に記載のように、下位管１に螺子込んだ案内ボルト1ｃと同位置にして平面等間隔の角度で安定用ボルト８，９を螺子込むことによって、当該安定用ボルト８，９の先端をネジ筒２の胴同部に案内的に接触させて、当該ネジ筒２が下位管１の中心に位置するような調節が図られるように構成した請求項２乃至５の何れかに記載の仮設支柱を実施の態様とする。
【考案の効果】
【００１６】
本考案は請求項１に記載のような構成、すなわち、下位管１と上位管４とを高さ調節自在とするように構成した仮設支柱であって、下位管１の上部開口面に対して、胴部にネジ溝2ｂを刻設すると共に上端部分に上位管４を連結するためのネジ筒２を、無回転にしてかつ昇降自在とするように取付け、当該ネジ筒２のネジ溝2ｂと螺合するネジ溝3ａを内周面に刻設した高さ調節用ネジ環３を、下位管１の上端部に定位置回転可能に取付け、また、当該ネジ環３には回転操作用ハンドル3ｃ，3ｃを折畳み自在に取付け、上位管４は上記ネジ筒２に対して昇降自在に挿入する共に、当該上位管２には、上記した高さ調節用ネジ環３に対して連結するための所要の固定用ピンを貫通させて挿通するための係止孔を設けるように構成したから、下位管１と上位管４との間にはネジ筒２が介在されるため、両管1，4の嵌合が極めてしっくりとしたものとされ、ガタツキが生じることが無く、強度的な向上性が図られる。
【００１７】
すなわち、従来の仮設支柱の場合、図１０に示すように下位管Ａに対して直接上位管Ｂを差し込むものであるため、その嵌合間隔に必要以上の遊びが生じて、両者の連結上のガタツキが生じ易いものであつた。  何故ならば、下位管Ａの内径と上位管Ｂの外径の寸法をあまり近接させてしまうと、その差込み操作上の円滑性を阻害してしまうため、ある程度の遊びを設けることが必要とされたが、この遊びが所定の伸長固定化状態におけるガタツキ発生の原因となってしまうものである。
これに対して本考案にあっては、下位管１と上位管４との間にはネジ筒２が介在されるため、下位管１と上位管４との間の遊びを最小化することが出来る。
【００１８】
更に、図１０に示す従来の仮設支柱のように、上位管Ｂの上昇は調節ネジ環Ｆの押上げ力に基づき行われると共に、その下降は当該調節ネジ環Ｆの下方移動に基づく支え点の変位により自重で降下するというような形態を採るものであったのに、本考案における上位管４の微調整的昇降作動は、当該ネジ筒２と定位置回転を行う高さ調節用ネジ環３との互いのネジ溝の噛合い作動に基づき行われるように構成したものであるから、その作動は極めて安定かつ円滑に行われることとなるばかりでなく、押上げ力も当該ネジの噛合いに基づき極めて強力なものとされる。
【００１９】
また、図１０に示す従来の仮設支柱は、下位管Ａの上端寄りに雄ネジＤを直接刻設するように構成したものであるため、下位管Ａ自体が長尺ものである関係上、これに対する当該雄ネジＤの刻設作業に伴うスペース的占領性及び作業の煩雑性というような問題が伴うばかりでなく、仮設支柱のような仮設建材は比較的手荒く扱われがちであり、その衝撃で雄ネジＤ部分が傷付いてしまったり歪んでしまったりした場合、下位管Ａ全体を取り換えなければ成らないものであったが、本考案にあってはネジ筒２は下位管１とは別部品であるため、その製作が簡易に行うことが出来るばかりでなく、若し、当該ネジ筒２のネジ溝部分が破損した場合は、この部分だけを取替えればよいため、従来の仮設支柱状において生じた上記したような修理上の負担性はよく解消されることとなる。
【００２０】
更に、請求項２に記載のような構成の採用に基づき、請求項１の場合と同様な作用効果を奏することとなる。  そして、下位管１の胴部に螺子込んだ案内ボルト1ｃの先端を前記ネジ筒２に設けた縦溝孔2ｅに突入させることによって、当該ネジ筒２に対する昇降案内作用と回転止め作用がなされるように構成したから、上位管４の昇降を司るネジ筒２の昇降作動が極めて安定かつ円滑に行われると共に、ネジ溝の噛合いに基づく昇降作動であるため、きめ細かな昇降調節の可能化、並びに、強力なる押上げ力を得ることが出来、例えば天井面等を形成に際するコンクリート打設用型枠の支持等に際して、強い力での型枠圧接保持目的の達成を果たすことができる。  すなわち、図１0に示す従来品にあっては許容強度が１９．６キロニュートン（ＫＮ）程度であるが、本考案に係る製品にあってはその許容強度を98.0キロニュートン（ＫＮ）から147.0キロニュートン（ＫＮ）とするように高められることとなる。（製品の長さによりその強度も変わってくる。）
【００２１】
また、上位側係止用孔4ｂと、これに直交する方向にしてかつやや下方に位置する下位側係止用孔4ｃとで一単位とする係止用孔を、所要単位数等間隔で穿設して成る上位管４を、上記したネジ筒２に対して昇降自在に挿入すると共に、当該上位管４のネジ筒２に対する仮止め的固定を、上位側係止用孔4ｂに差し込んだ上位側係止用ピン５はネジ筒２の上縁対向位置に形成したピン受け用凹溝2ｃ，2ｃに嵌合して受け止められ、また、下位側係止用孔4ｃに差し込むための下位側係止用ピン６は、ネジ筒２に穿設したピン差込用孔2ｄ，2ｄと一括して挿通させるように構成したから、ネジ筒２に対する上位管４の連結は、二ヵ所のピン止めで行われるため、その連結は極めて安定したものとされる。
【００２２】
そして、上位側係止用ピン５がピン受け用凹溝2ｃ，2ｃに嵌合して受け止められた状態で、下位側係止用孔4ｃとネジ筒２に穿設したピン差込用孔2ｄ，2ｄが合致するような寸法的設定が成されているものであるから（上位管４を浮かせた状態で当該両孔の調節的合致化を図るものではないから）、当該合致孔に対する下位側係止用ピン６の差込操作には何等の困難性を伴うことなく、簡便に達成されることとなる。
【００２３】
同時に、比較的操作上の煩雑性が伴うねじ筒2と上位管４との一括的ピン止めと言う作業は、下位側係止用ピン６だけでよく、上位側係止用ピン５の差込は上位管４だけに対する貫通的挿通でよく、すなわち、当該上位側係止用ピン５とネジ筒２との係止は、上位管４を単純に降下させることによって、当該上位側係止用ピン５がピン受け用凹溝2ｃ，2ｃに嵌合されることとなる。  従って、二本のピンを下位側係止用ピン６のような一括的貫通挿通を成すように構成した場合に比して、その作業の負担性が半減される。
【００２４】
本考案は請求項３に記載のような構成、すなわち、下位管１の上端部に対する高さ調節用ネジ環３の取付けを、下位管１の上端縁に案内用突状リング体1ｂを設け、当該高さ調節用ネジ環３に設けた係合用抱持部3ｅ，3ｅを当該突状リング体1ｂに対して回動自在に嵌め込むことによって、当該高さ調節用ネジ環３を下位管１の上端部分に定位置回動可能に取付けるように構成することにより、高さ調節用ネジ環３の定位置回動が安定かつ円滑に果たされる。  これにより、当該ネジ環３の回動操作に基づくネジ筒２の昇降作動、これに連結されている上位管４の昇降作動が極めて安定した状態で行われることとなる。
【００２５】
本考案は請求項４に記載のような構成、すなわち、上位側係止用ピン５と下位側係止用ピン６とが平面十文字状に交差するような形態で差し込まれるように構成することにより、上位管４の支持形態が前後左右方向に働くため、従来のような１本のピンによるものに比して、上位管４に対する安定性の卓越化が図られると共に、荷重のかかる方向性が両ピンに分散されるためガタツキ発生が最小化される。
【００２６】
本考案は請求項５に記載のような構成、すなわち、二本の係止用ピン５及び６を、上位管４に自由動可能に引っ掛けておくための環７に対してチェーン5ａ及び6ａを介して連結するように構成することにより、当該二本の係止用ピン５及び６が分散化して紛失してしまい仮設工事に齟齬をきたしてしまうと言うような事態発生を皆無とする。
【００２７】
本考案は請求項６に記載のような構成、すなわち、下位管１に螺子込んだ案内ボルト1ｃと同位置にして平面等間隔の角度で安定用ボルト８，９を螺子込むことによって、当該安定用ボルト８，９の先端をネジ筒２の胴同部に案内的に接触させて、当該ネジ筒２が下位管１の中心に位置するような調節が図られるように構成することにより、下位管１内に対するネジ筒２の同軸的支持（中心線を合致させた状態での支持）を図ることが出来、これにより、当該ネジ筒２の安定した昇降作動が行われることとなる。
【考案を実施するための最良の形態】
【００２８】
図１は本考案に係る仮設支柱全体を表したものであって、１は下位管、２は当該下位管１の上部開口面に対して伸縮自在（高さ調節自在）に装着したネジ筒、３は当該ネジ筒２に螺合させた高さ調節用ネジ環、４は当該ネジ筒２に対して出入り自在に延出させた上位管であって、本考案に係る仮設支柱は上記した下位管１と上位管４の伸縮自在の嵌合を、ネジ筒２を介在させて行うように構成したことを技術的特徴の一つとするものである。  すなわち、従来は下位筒に対して直接的に刻設していたところの高さ調節用ネジを、ネジ筒２という新規な独立部品とするように構成し、これにより、前述したような従来品に於ける問題点の解消化を図ったものである。
【００２９】
図２は上記した下位管１だけを表したものであって、当該下位管１は、その下端に接地用底板1ａが固設してある。  そして本考案にあっては、その上端縁に、高さ調節用ネジ環３の定位置回転を行わせるための案内用突状リング体1ｂを固設するように構成してある。  1ｃは下位管１の上方寄りの所要箇所に螺子込んだ案内ボルトであって、ネジ筒２に設けた後述する縦溝孔2ｅに対してその先端を突入させておくことによって、当該ネジ筒２の昇降方向の移動を無回転状態で行わせるための案内制御ピンとしての役割を担うものである。  1ｄは当該案内ボルト1ｃを螺子込むためのナットであって、下位管１に対して固設してある。
【００３０】
図３は前記したネジ筒２だけを表したものであって、当該ネジ筒２は金属製筒材で形成されており、上端部部分に形成した上位管連結用部2ａを除いてその全体にネジ溝2ｂを刻設してある。  2ｃ，2ｃは上位管連結用部2ａの上縁対向位置に形成したピン受け用凹溝、2ｄ，2ｄは当該ピン受け用凹溝2ｃ，2ｃ間を結ぶ直線と直角に結ばれる直線位置にしてかつこれよりやや下方の位置に対称的に穿設したピン差込用孔である。  2ｅはネジ筒２の下半部に穿設した縦溝孔であって、当該ネジ筒２の後述する作動に基づく昇降案内作用と回転止め作用を奏させるためのものである。  
【００３１】
図４は前記した高さ調節用ネジ環３だけを表したものであって、上記ネジ筒２に螺合させるためのネジ溝3ａを内周面に形成すると共に、その外面の対向箇所に連設した軸受け部3ｂ，3ｂに回動操作用ハンドル3ｃ，3ｃが折畳み自在に取付けられている。  3ｄ，3ｄは当該ハンドルの折り畳みのための枢支用リベットを示す。
3ｅ，3ｅは当該軸受け部3ｂ，3ｂに形成した係合用抱持部であって、既述した下位管１の上端縁に形成した案内用突状リング体1ｂに対して回動自在に嵌め込むことによって、当該高さ調節用ネジ環３を下位管１の上端部分に定位置回動自在取り付けるように構成してある。
【００３２】
図５は上記したネジ筒２と高さ調節用ネジ環３とを組み込んで完成化された状態にある下位管１を表したものである。  すなわち、下位管１の上部開口部に対してネジ筒２を昇降自在に差し込むと共に、当該下位管１に設けた案内ボルト1ｃをネジ筒２に設けた縦溝孔2ｅに対して突入させるように螺子込む。  そして、高さ調節用ネジ環３を、その係合用抱持部3ｅ，3ｅを下位管１に設けた案内用突状リング体1ｂに対して係合させることによって、当該高さ調節用ネジ環３を下位管１の上端に定位置回転自在に取付ける。  更に、当該取付け状態にあっては、当該高さ調節用ネジ環３のネジ溝3ａはネジ筒２のネジ溝2ｂに対して螺合状態を保つような状態で組立てられている。
【００３３】
図６は前記した上位管４だけを表したものであって、4ａはその上端に固設した天板である。  そして、当該上位管４の胴部には係止用ピンを貫通させるようにして挿し込むための係止用孔が穿設してある。  なお、当該係止用孔はピンを貫通させて差し込む関係上、対を成すような形態で穿設されている。
【００３４】
そして、本考案にあっては、当該係止用孔として、上位側係止用孔4ｂと、これに直交する方向にしてかつやや下方位置に下位側係止用孔4ｃを穿設するように構成してある。  これは、図１及び図７に示すように、二本の係止用ピン５及び６を用いて上位管４の固定化を図るように構成する関係上、上記のように上位側係止用孔4ｂと下位側係止用孔4ｃとで１単位とし、複数単位の当該係止用孔を上位管４の胴部に等間隔で列設するように構成してある。
【００３５】
なお、上記した二本の係止用ピン５及び６であるが、これは図１に示すように上位管４に自由動可能に引っ掛けておくための環７に対してチェーン5ａ及び6ａを介して連結するように構成することが好ましい。  すなわち、当該係止用ピン５及び６をフリーな状態としておいた場合、紛失しやすいと言うような問題が生じるが、このような上位管４にまとめて引っ掛けておくことにより、紛失の心配の除去と、上位管４に穿設されている係止孔の近傍に存在することによる使い勝手の良さが図られる。
【００３６】
ところで、係止用ピン５及び６による係止用孔に対する差込み形態であるが、これは本考案にあっては下記のような差込み方式を採るように構成してある。
すなわち、上記のように列設された係止用孔の内、所要の係止用孔を選択すると共に、図１及び図７に示すように係止用ピン５及び６を差し込むわけであるが、これは、上位管４に列設されている係止用孔中、選択した所定の係止用孔における上位側係止用孔4ｂに上位側係止用ピン５を差し込むと共に、当該上位管４を降下させることによって、当該係止用ピン５を、ネジ筒２の上縁対向位置に形成したピン受け用凹溝2ｃ，2ｃ部分で受け止めさせる。  この状態において、選択した係止用孔における下位側係止用孔4ｃは、ネジ筒２に穿設されているピン差込用孔2ｄ，2ｄと合致しているため（このような合致が成されるように上下両係止用孔の穿設位置が設定されている。）、ここに係止用ピン６を差し込めば、上位管４は下位管１に対する固定化が図られる。
【００３７】
上記のような操作に基づき、上位管４は下位管１に対して大まかな長さ寸法での固定化が図られる。  
【００３８】
そして、上記のように大まかな長さ寸法で設定された後に行う、全体長さ寸法の微調節は、高さ調節用ネジ環３の回動操作に基づいて行われる。
【００３９】
図９に示すように、高さ調節用ネジ環３に枢支されている回動操作用ハンドル3ｃ，3ｃを水平状体に起すと共にこれを左右何れかの方向に回転させれば、当該ネジ環３のネジ溝3ａに対してネジ溝2ｂを介して噛合っているネジ筒２はネジ溝3ａに沿って引上げ又は引き下げられることとなる。  すなわち、上記ネジ環３は下位管１の上端部で定位置回転するように取付けられており、そして、当該ネジ筒２はその縦溝孔2ｅに対して下位管１に設けた案内ボルト1ｃを突入させてあるため、当該ネジ筒２は回動阻止状態となっている。  従って、上記したネジ環３のネジ溝3ａの回転力は、当該ネジ筒２を上昇または降下させる力として働くこととなる。
【００４０】
上記したようなハンドル3ｃ，3ｃを介してねじ環３の回動により、ネジ筒２を上昇または降下させれば、当該ネジ軸２の上端部に係止用ピン５及び６を介して十文字状に連結されている上位管４に対する上昇運動または降下運動が連動的に行われることとなる。
【００４１】
従って、本考案に係る仮設支柱の使用時の高さの微調節が、ハンドル3ｃ，3ｃを介してねじ環３を回転することによって達成される。  そして、当該ねじ環３は下位管１の上端部での定位置回転であるため、回動に伴いその位置が変位することはない。
【００４２】
なお、図８に示されている安定用ボルト８，９であるが、これは下位管１において既述した案内ボルト1ｃと同位置にして等間隔の角度で螺子込むことによって、その先端がネジ筒２の胴同部（ネジ溝2ｂ部分）に案内的に接触させ、これに依り、当該ネジ筒２が下位管１の中心に位置するように調節するためのものである。  従って、当該安定用ボルト８，９の先端面は、ネジ筒２のネジ溝2ｂのネジピッチより広くすることにより当該ネジ筒２の昇降運動時にスムースなる案内及び中心位置での安定等の調節が成されるようになっている。  然し乍、このような安定用ボルト８，９の存在は絶対的なものではなく、これを省略して実施する場合もある。
【図面の簡単な説明】
【００４３】
【図１】本考案に係る仮設支柱全体を表した斜視図である。
【図２】本考案に用いる下位管１だけを表した斜視図である。
【図３】本考案に用いるネジ筒２だけを表した斜視図である。
【図４】本考案に用いる高さ調節用ネジ環３だけを表した斜視図である。
【図５】組立て状態にある下位管１部分を表した斜視図である。
【図６】本考案に用いる上位管４だけを表した斜視図である。
【図７】本考案の要部を表した縦断面図である。
【図８】図７におけるＸ−Ｘ線断面図である。
【図９】本考案に係る仮設支柱の操作形態を表した説明用斜視図である。
【図１０】従来の仮設支柱を表した正面図である。
【符号の説明】
【００４４】
１   下位管
1ａ  接地用底板
1ｂ  案内用突状リング体
1ｃ  案内ボルト
２   ネジ筒
2ａ  上位管連結用部
2ｂ  ネジ溝
2ｃ  ピン受け用凹溝
2ｄ  ピン差込用孔
2ｅ  縦溝孔
３   高さ調節用ネジ環
3ａ  ネジ溝
3ｂ  軸受け部
3ｃ  回動操作用ハンドル
3ｄ  枢支用リベット
3ｅ  係合用抱持部
４   上位管
4ａ  天板
4ｂ  上位側係止用孔
4ｃ  下位側係止用孔
５   係止用ピン
5ａ  チェーン
６   係止用ピン
6ａ  チェーン
７   環
８   安定用ボルト
９   安定用ボルト
【図１】
0003162829.tif 000003
【図２】
0003162829.tif 000004
【図３】
0003162829.tif 000005
【図４】
0003162829.tif 000006
【図５】
0003162829.tif 000007
【図６】
0003162829.tif 000008
【図７】
0003162829.tif 000009
【図８】
0003162829.tif 000010
【図９】
0003162829.tif 000011
【図１０】
0003162829.tif 000012